(57)【要約】【課題】着座姿勢で使用するシャワー装置と身体の洗浄に使用する水栓や鏡を一体に構成し、省スペースと使い勝手の向上を図るシャワー装置を提供する。【解決手段】ノズルユニット１３を所定幅の開放面１８を介して左右に設置し、ノズルアーム１６をノズルユニット１３の上部に設置し、左右方向に摺動自在で設置幅を調整可能とし、開放空間の下部に洗い場吐水口２０を設置し、洗い場吐水口２０の下方に所定の空間を確保した位置に着座手段２２を設置し、着座手段２２に制御手段を設置することにより、着座手段２２に着座して全身を包み込むようにシャワーを浴びることができとともに、着座手段２２に洗面器２３を載置して洗顔や身体の洗浄作業を行うことができるため、浴室内に余分なスペースを確保する必要がなく浴室の省スペースと使い勝手を向上することができる。【選択図】図３
2006271442.tif 000002
【特許請求の範囲】
【請求項１】
使用者の後方より噴霧するノズルを有するノズルユニットと、使用者の身体を包み込むように噴霧する複数のノズルを配設したノズルアームと、着座手段と、洗い場吐水口と、ノズルと洗い場吐水口に供給する湯水を制御する制御手段を備え、ノズルユニットは所定幅の開放面を介して左右に設置し、ノズルアームはノズルユニットの上部に設置し、左右方向に摺動自在で調整幅を可能とし、開放空間の下部に洗い場吐水口を設置し、洗い場吐水口の下方に所定の空間を確保した位置に着座手段を設置し、着座手段に制御手段を設置したシャワー装置。
【請求項２】
前記ノズルアームは、上下方向に回動および保持自在とする請求項１に記載のシャワー装置。
【請求項３】
開放面の洗い場吐水口の上方に鏡を設置し、鏡の少なくとも一部を隠蔽する背もたれカバーを開閉自在に設置した請求項１に記載のシャワー装置。
【請求項４】
開放面の洗い場吐水口の上方に収納棚を設置し、収納棚の少なくとも一部を隠蔽する背もたれカバーを開閉自在に設置した請求項１に記載のシャワー装置。
【請求項５】
背もたれカバーは左右に摺動して開閉する構成の請求項２または３に記載のシャワー装置。
【発明の詳細な説明】
【技術分野】
【０００１】
本発明は着座姿勢で使用するシャワー装置に関するものである。
【背景技術】
【０００２】
従来、この種のシャワー装置は、正面中央に鏡を設置した収納ユニットの両側部に、複数のノズルを備えたアームを垂直な回転軸を介して横方向に回転するように設置し、収納ユニットの下方に水栓を備えたカウンターを設置するとともに、水栓の下方には洗面器を載置する可倒式の洗面器台を設置した構成において、着座してシャワー浴を行うときは洗面器台を倒した状態で、収納ユニットの前に置いた椅子に着座してシャワーを浴びるものである。また、洗顔等の洗面器を使用する入浴作業を行うときは、洗面台を起こしその上に洗面器を載置して入浴作業を行っている（例えば、特許文献１参照）。
【０００３】
図７は、特許文献１に記載された従来の  シャワー装置を示すものである。  図に示すように、収納ユニット１の一側方には収納棚２設置してあり、他方には通常シャワー３が設置してある。収納ユニット１の左右には複数のノズル４を備えたアーム５が水平方向に回動自在に設置してある。また収納ユニット１の中央部には鏡６が設置してあり、その下方には水栓７を備えたカウンター８が設置してあり、カウンター８の下方には可倒式の洗面器台９を設置した構成となっている。
【特許文献１】特開２００１−２０４６４４号公報
【発明の開示】
【発明が解決しようとする課題】
【０００４】
しかしながら、前記従来の構成では、着座してシャワー浴を行う場合には専用の椅子が必要であり、また洗顔等の一般の入浴作業を行うときは、別の椅子が必要なので余分な浴室スペースや椅子の収納スペースが必要である。また、着座してシャワー浴を行う場合に背中が不用意に鏡に接触し、不快感を感じたり、また鏡の破損により身体に損傷を受けるという安全面での課題を有していた。
【０００５】
本発明は、前記従来の課題を解決するもので、着座姿勢で使用するシャワー装置と身体の洗浄に使用する水栓や鏡を一体に構成し、浴室内の省スペースと使い勝手の向上を図るシャワー装置を提供することを目的とする。
【課題を解決するための手段】
【０００６】
前記従来の課題を解決するために、本発明のシャワー装置は、ノズルユニットを所定幅の開放面を介して左右に設置し、ノズルアームをノズルユニットの上部に設置し、左右方向に摺動自在で設置幅を調整可能とし、開放面の下部に洗い場吐水口を設置し、洗い場吐水口の下方に所定の空間を確保した位置に着座手段を設置し、着座手段に制御手段を設置した構成したものである。
【０００７】
これによって、着座手段に着座し着座手段に設置した制御手段を操作することにより、ノズルユニットとノズルアームのノズルから噴霧する湯水を全身を包み込むようにシャワーを浴びることができる。またシャワーを使用しないときは、着座手段に洗面器を載置して洗い場吐水口から湯水を吐水することにより、洗顔や身体の洗浄作業を行うことができることとなり、同一場所でシャワー浴と一般の入浴の洗浄作業を行うことができるため、浴室内に余分なスペースを確保する必要がなく浴室の省スペースと使い勝手を向上することができる。
【発明の効果】
【０００８】
本発明のシャワー装置は、同一場所でシャワー浴と一般の入浴の洗浄作業を行うことができるため、浴室内に余分なスペースを確保する必要がなく浴室の省スペースと使い勝手を向上することができる。
【発明を実施するための最良の形態】
【０００９】
第１の発明は使用者の後方より噴霧するノズルを有するノズルユニットと、使用者の身体を包み込むように噴霧する複数のノズルを配設したノズルアームと、着座手段と、洗い場吐水口と、ノズルと洗い場吐水口に供給する湯水を制御する制御手段を備え、
ノズルユニットは所定幅の開放面を介して左右に設置し、ノズルアームはノズルユニットの上部に設置し、左右方向に摺動自在で設置幅を調整可能とし、開放面の下部に洗い場吐水口を設置し、洗い場吐水口の下方に所定の空間を確保した位置に着座手段を設置し、着座手段に制御手段を設置した構成とすることにより、ノズルアームを左右に摺動し所定位置に保持した状態で、使用者は着座手段に着座し着座手段に設置した制御手段を操作することにより、ノズルユニットのノズルとノズルアームのノズルから噴霧する湯水を全身を包み込むように浴びることができる。またシャワーを使用しないときは、着座手段に洗面器を載置し、洗い場吐水口から湯水を吐水することにより洗顔や身体の洗浄作業を行うことができることとなり同一場所でシャワー浴と一般の入浴の洗浄作業を行うことができるため、浴室内に余分なスペースを確保する必要がなく浴室の省スペースと使い勝手を向上することができる。
【００１０】
第２の発明は、ノズルアームが上下方向に回動および保持自在することにより、シャワー使用時は上方に回動保持させ使用し、洗い場吐水口使用時はノズルアームを下方側に回動収納させることにより、使用者は支障なく使用できるものである。
【００１１】
第３の発明は、特に、第１の発明における開放面の洗い場吐水口の上方に鏡を設置し、鏡の少なくとも一部を隠蔽する背もたれカバーを開閉自在に設置することにより、シャワー使用時は背もたれカバーを閉じた状態で使用し、洗い場吐水口使用時は背もたれカバーを開放して鏡が見える状態で使用することができ、シャワー使用時に使用者の背中が直接冷たい鏡に接触する不快感がなく、また鏡の破損やそれによる入浴者の損傷を防止することができる。また洗い場吐水口使用時は入浴者の前面に鏡が配置されるため、洗顔や髭剃り等の作業を快適に行うことができる。
【００１２】
第４の発明は、特に、第１の発明における開放面の洗い場吐水口の上方に収納棚を設置し、収納棚の少なくとも一部を隠蔽する背もたれカバーを開閉自在に設置することにより、背もたれカバーを開閉して収納棚に浴室で使用する洗剤や器具を収納し、シャワー使用時は背もたれカバーを閉じた状態で使用することができ、浴室で使用する洗剤や器具の収納スペースが確保できるとともに、シャワー使用時に使用者の背中が収納棚に接触する不快感をなくすことができるため、浴室スペースの有効活用と使い勝手を向上することができる。
【００１３】
第５の発明は、第３または第４の発明の背もたれカバーを左右に摺動して開閉する構成とすることにより、背もたれカバーの開閉は前方に突出することなく開閉することとなり、入浴者が背もたれカバーに不用意に当たって損傷を受ける危険性を回避することができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態におけるシャワー装置を浴室に設置した状態の斜視図を示すものであり、図２はシャワー装置を着座姿勢でシャワー浴を行う状態でアームノズルの設置幅を最小に摺動した斜視図を示すものであり、図３はシャワー装置を着座姿勢でシャワー浴を行う状態でアームノズルの設置幅を最大に摺動した斜視図を示したものであり、図４はシャワー装置を通常の入浴作業を行う状態の斜視図を示すものであり、図６はシャワー浴と通常の入浴作業の切り換え途中の状態の斜視図を示すものである。
【００１６】
図１に示すように、本発明のシャワー装置は浴室１０の洗い場１１に対応する壁面１２に設置してある。
【００１７】
図２に示すように浴室１０の壁面１２固定した本発明のシャワー装置は、両側部には樹脂材料を略直方形状に成型したノズルユニット１３が配置してあり、左右のノズルユニット１３の前面上部には、使用者の主に肩に向かって衝撃的な水流を噴出するマッサージノズル１４がそれぞれ設置してあり、前面下部には使用者の主に腰部に向かって微細水流を噴出するシャワーノズル１５がそれぞれ設置してある。
【００１８】
左右のノズルユニット１３の外側部には、上端部を支点として略上下方向に回動自在で、かつ任意の角度で保持が可能なように略直方体形状のノズルアーム１６がそれぞれ設置してある。左右のノズルアーム１６は連結バー（図示せず）で連結することにより、一方のノズルアーム１６を回動すれば他方も同様に回動する構成となっている。また図４に示すようにノズルアーム１６をノズルユニット１４の側方に収納した状態では、ノズルアーム１６をノズルユニット１４の前面はほぼ同一面となっており、上下端もほぼ同一の位置をなしている。
【００１９】
ノズルアーム１６の裏面には微細水流を使用者の身体を包み込むように噴出する複数のシャワーノズル１５と、ミスト状の水流を使用者の身体全体を包み込むように噴出するミストノズル１７がノズルアーム１６のほぼ全長にわたり所定の間隔で交互に配設してある。
【００２０】
マッサージノズル１４とシャワーノズル１５とミストノズル１７は種類毎にノズルユニット１３とノズルアーム１６の内部に配設した配管（図示せず）により互いに連通する構成となっている。また、マッサージノズル１４とシャワーノズル１５とミストノズル１７は個々に水流の噴出方向を変更できる調整機能を備えている。
【００２１】
図５に示すように左右のノズルユニット１３の間に位置する開放面１８の上部には鏡１９が設置してあり、鏡１９の下端部には下方に向かって開放した洗い場吐水口２０が設置してある。
【００２２】
開放面１８の前面には左右のノズルユニット１３の上下端部に枢支し、左右に開閉自在な背もたれカバー２１が設置してある。背もたれカバー２１は図２に示すように、シャワー浴を行うときは開放面１８を閉じることにより、鏡１９のほぼ全面と洗い場吐水口２０を隠蔽することができ、この状態ではノズルユニット１３の前面と背もたれカバー２１の前面がほぼ同一面となるように構成してある。
【００２３】
また、図４に示すように通常の入浴作業の状態においては、背もたれカバー２１を外方に開放することにより、ノズルユニット１３とノズルアーム１６の前面を隠蔽し、鏡１９と洗い場吐水口２０が露出する。背もたれカバー２１の幅寸法はノズルユニット１３とノズルアーム１６の全幅に略等しい寸法となっており、ノズルユニット１３とノズルアーム１６の前面のほぼ全体を隠蔽できる構成となっている。
【００２４】
開放面１８の下方にはノズルユニット１３の下端とほぼ等しい高さの着座手段２２が設置してある。着座手段２２の上面２２ａはほぼフラットな形状をなし、シャワー浴で使用する場合は使用者が着座し、通常の入浴作業の時は図４に示すように洗面器２３等の入浴用品を載置するカウンター機能として使用できる。
【００２５】
シャワー装置の側方の壁面１３にはハンドシャワー２４が着脱自在に掛止してあり、シャワーホース２４ａは着座手段２２に設けた所定のシャワー接続口２５に接続してある。
【００２６】
着座手段２２の一方の側面にはマッサージノズル１４とシャワーノズル１５とミストノズル１７と洗い場吐水口２０とハンドシャワー２４に供給する湯水の止水と流量を制御する流量制御手段２６が設置してあり、ハンドル２６ａの操作で流量を制御することができる。また、着座手段２２の他方の側面には湯水の温度を制御する温度制御手段２７が設置してあり、ハンドル２７ａを操作することにより温度を設定することができる。
【００２７】
また、温度制御手段２７の後方には湯水の供給先を選択する切換制御手段２８が設置してあり、ハンドル２８ａの操作で５カ所の供給先であるマッサージノズル１４とシャワーノズル１５とミストノズル１７と洗い場吐水口２０とハンドシャワー２４のうちの１カ所を選択して切換ができる。
【００２８】
流量制御手段２６と温度制御手段２７と切換制御手段２８は着座手段２２の内部で配管（図示せず）により連通しており、切換制御手段２８はマッサージノズル１４とシャワーノズル１５とミストノズル１７と洗い場吐水口２０とハンドシャワー２４と個別の配管により連通している。
【００２９】
以上のように構成されたシャワー装置について、以下その動作、作用を説明する。
【００３０】
まず、図２、図３に示すようにノズルアーム１６を上方向へ回動（図２）、左右方向に摺動（図３）させて使用者の体格にあわせた位置に保持し、使用者が着座手段２２に着座する。このとき鏡１９の前面は背もたれカバー２１で隠蔽しているため、使用者の背中が直接鏡１９に接触することがなく快適に着座することができる、着座した状態で切換制御手段２８を「座シャワー」の位置に設定し、温度制御手段２７を所定の温度に設定し、流量制御手段２６を開放すると、ノズルユニット１３とノズルアーム１６のシャワーノズル１５から微細な水流が噴出する。ノズルユニット１３から噴出した微細水流は使用者の腰部を中心に背面に向かって噴出し、ノズルアーム１６から噴出した微細水流は使用者の肩から脚まで身体全体を包み込むように噴出する。
【００３１】
上記のように使用者の全身を包み込むように微細水流を浴びることにより、使用者はバスタブ入浴と同様の温熱効果を得ることができ、しかも、バスタブ入浴時に加わる静水圧負荷を受けないため、使用者への肉体的な負荷が軽減される。
【００３２】
切換制御手段２８を「ミスト」の位置に切り換えると、ノズルアーム１６のミストノズル１７からより微細なミスト状の水流が使用者の全身を包み込むように噴出する。水流をより微細なミスト状にすることにより、体感温度は低くなるため上記の「座シャワー」の位置での使用の場合より温度制御手段２７の設定温度を高くすることができ、より高温でのシャワー浴が可能となり、発汗作用を促進することができる。
【００３３】
また、切換制御手段２８を「マッサージ」の位置に切り換えると、ノズルユニット１３のマッサージノズル１４から強弱のある衝撃的な水流が使用者の主に肩に向かって噴出し、入浴者はマッサージ効果を得ることができる。
【００３４】
着座姿勢のまま、洗髪や洗顔を行う場合は、切換制御手段２８を「ハンドシャワー」の位置に切り換えることにより、ハンドシャワー２４より湯水が噴出するので、ハンドシャワー２４を壁面１２より外して洗髪や洗顔に使用することができる。
【００３５】
図４に示すように、ノズルアーム１６を収納し背もたれカバー２１を開放した状態では、着座手段２２は洗面器２３や入浴用品を載置するカウンターとして使用することができる。この状態では、切換制御手段２８を「ハンドシャワー」の位置にすることにより、上記同様にハンドシャワー２４を使用することができる。また、切換制御手段２８を「洗い場吐水口」の位置にすることにより、洗い場吐水口２０から湯水を吐水することができるので、洗面器２３に湯水を貯めて行う洗顔やタオルの洗浄など通常の入浴作業を効率的に行うことができる。
【００３６】
以上のように、本実施の形態においてはノズルアームを上方向に回動し、左右方向に摺動させ所定位置に保持し、着座手段に着座し制御手段を操作することにより、ノズルユニットのノズルとノズルアームのノズルとハンドシャワーから噴出する湯水により、４種類のシャワー浴を行うことができる。また、ノズルアームを収納した状態では、ハンドシャワーを使用した洗浄作業と、着座手段に洗面器を載置し洗い場吐水口から湯水を吐水することにより洗顔や身体の洗浄等の通常の入浴作業を行うことができる。
【００３７】
このように同一場所でシャワー浴と通常の入浴作業を行うことができるので、浴室内に余分なスペースを確保する必要がなく浴室の省スペースと使い勝手を向上することができる。
【００３８】
なお、本実施の形態においては背もたれカバーをノズルユニットの上下端部に枢支し回動による開閉機構としたが、この開閉機構に限るものではなく、左右に摺動する開閉機構にすることにより、開閉作業の途中で背もたれカバーが前方に突出することがなくなり、不用意に入浴者に当たって怪我をする危険が回避され安全性を向上することができる。
【００３９】
（実施の形態２）
図６は本発明の第２の実施の形態におけるシャワー装置の斜視図を示すものである。
【００４０】
本実施の形態が第１の実施の形態と異なるところは、図に示すように左右のノズルユニット１３の間に位置する開放面１８の上部に収納棚２９を設置してあり、収納棚２９の下端部に下方に向かって開放した洗い場吐水口２０を設置した構成である。
【００４１】
なお、実施の形態１と同一符号のものは同一構造を有し説明は省略する。
【００４２】
上記構成とすることにより、開放面に設置した収納棚２９には石鹸やスポンジ等の入浴用品の収納に使用することができる。しかも実施の形態１と同様に収納棚２９の前面は背もたれカバー２１で隠蔽しているため、着座手段に着座した時に使用者の背中が直接収納棚２９に接触することがなく快適に着座することができるものである。
【００４３】
上記のように、本実施の形態のシャワー装置は収納性と使い勝手の両方の効果を備えた物である。
【００４４】
なお、第１の形態においては開放面の上部に鏡を設置し、本実施の形態においては収納棚を設置したが、これは必須の要件ではなく鏡と収納棚の両方の機能を備えた物を設置することも可能であり、またそれ以外の機能を備えたの物を設置することも可能である。また何も設置しないシンプルな構成でもよい。
【産業上の利用可能性】
【００４５】
以上のように、本発明にかかるシャワー装置は、同一場所でシャワー浴と一般の入浴の洗浄作業を行うことができるため、浴室内に余分なスペースを確保する必要がなく浴室の省スペースと使い勝手を向上するが可能となるので、介護装置などの用途にも適用できる。
【図面の簡単な説明】
【００４６】
【図１】本発明の実施の形態１におけるシャワー装置の浴室設置状態の斜視図
【図２】本発明の実施の形態１におけるシャワー装置の着座使用状態でノズルアームの設置幅を最小に摺動した状態の斜視図
【図３】本発明の実施の形態１におけるシャワー装置の着座使用状態でノズルアームの設置幅を最大に摺動した状態の斜視図
【図４】本発明の実施の形態１におけるシャワー装置の通常使用状態の斜視図
【図５】本発明の実施の形態１におけるシャワー装置の切換状態を示す斜視図
【図６】本発明の実施の形態２におけるシャワー装置の斜視図
【図７】従来のシャワー装置の正面図
【符号の説明】
【００４７】
１３  ノズルユニット
１４  マッサージノズル（ノズル）
１５  シャワーノズル（ノズル）
１６  ノズルアーム
１７  ミストノズル（ノズル）
１８  開放面
１９  鏡
２０  洗い場吐水口
２１  背もたれカバー
２２  着座手段
２６  流量制御手段（制御手段）
２７  温度制御手段（制御手段）
２８  切換制御手段（制御手段）
２９  収納棚
【図１】
2006271442.tif 000003
【図２】
2006271442.tif 000004
【図３】
2006271442.tif 000005
【図４】
2006271442.tif 000006
【図５】
2006271442.tif 000007
【図６】
2006271442.tif 000008
【図７】
2006271442.tif 000009